(57)【要約】【課題】尿が小便器の底部に溜まりにくく、デザイン性にも優れた小便器を備える仮設トイレを提供することである。【解決手段】仮設トイレ１０は、小便器部１６と、小便器部１６が装着されるケーシング本体部１２と、ケーシング本体部１２に回動可能に設けられ、小便器部１６を覆い隠し又は小便器部１６を露出させるように開閉可能な開閉扉部１４と、を備える仮設トイレ１０であって、小便器部１６は、放たれた尿の入口となる開口部が多角形を有し、尿が排出される排出部側に向けて先細りとなる略多角錘形状を有していることを特徴とする。【選択図】図１
2018134456.tif 000002
【特許請求の範囲】
【請求項１】
小便器部と、
前記小便器部が装着されるケーシング本体部と、
前記ケーシング本体部に回動可能に設けられ、前記小便器部を覆い隠し又は前記小便器部を露出させるように開閉可能な開閉扉部と、
を備える仮設トイレであって、
前記小便器部は、
放たれた尿の入口となる開口部が多角形を有し、前記尿が排出される排出部側に向けて先細りとなる略多角錘形状を有していることを特徴とする仮設トイレ。
【請求項２】
請求項１に記載の仮設トイレにおいて、
前記小便器部の内側側面に着脱可能に設けられるシート部を備え、
前記シート部は、プロピレンを重合させた熱可塑性樹脂であるポリプロピレンを含むことを特徴とする仮設トイレ。
【請求項３】
請求項１または請求項２に記載の仮設トイレにおいて、
前記小便器部からはみ出した尿を受けるように前記ケーシング本体部の底部側に設けられた受け皿部と、
前記小便器部内と前記受け皿部内に水を流し込んで前記小便器部とともに前記受け皿部を洗浄する洗浄連動部と、
を備えることを特徴とする仮設トイレ。
【請求項４】
請求項１から請求項３のいずれか１項に記載の仮設トイレにおいて、
前記ケーシング本体部内に設けられ、液体消臭剤を収容する収容部と、
前記収容部から前記小便器部内に向けて延伸し、毛細管現象を利用して前記液体消臭剤を前記小便器部内に送り出す延伸部と、
を備えることを特徴とする仮設トイレ。
【発明の詳細な説明】
【技術分野】
【０００１】
本発明は、仮設トイレに関する。
【背景技術】
【０００２】
従来、建設現場などにおいて工事期間中などに一時的に設置される仮設トイレがある。例えば、特許文献１には、前面が開放されたケーシング内の上半部に、上端部を軸支することによって前後方向に回動可能とした小便器を配置し、該小便器は下部を後方に回動させてケーシング内に収めた位置を小便器収容位置とするとともに、小便器の下部を前方に回動させた位置に保持する係止手段を備え、該係止手段によって小便器を前方に回動させた位置に保持することによって小便器の下部が前方に突出する小便器使用位置とすることを特徴とする仮設トイレが開示されている。
【先行技術文献】
【特許文献】
【０００３】
【特許文献１】特開２０１３−１８０１８１号公報
【発明の概要】
【発明が解決しようとする課題】
【０００４】
一般的な仮設トイレの小便器は排出口が設けられる底部を含め丸みを帯びていることが多く、尿が底部に溜まって匂いや汚れの原因となることがある。また、丸みを帯びた形状はありふれた形状であるためデザイン的な観点からも面白味にかけるという課題がある。
【０００５】
本発明の目的は、尿が小便器の底部に溜まりにくく、デザイン性にも優れた小便器を備える仮設トイレを提供することである。
【課題を解決するための手段】
【０００６】
本発明に係る仮設トイレは、小便器部と、前記小便器部が装着されるケーシング本体部と、前記ケーシング本体部に回動可能に設けられ、前記小便器部を覆い隠し又は前記小便器部を露出させるように開閉可能な開閉扉部と、を備える仮設トイレであって、前記小便器部は、放たれた尿の入口となる開口部が多角形を有し、前記尿が排出される排出部側に向けて先細りとなる略多角錘形状を有していることを特徴とする。
【０００７】
また、本発明に係る仮設トイレにおいて、前記小便器部の内側側面に着脱可能に設けられるシート部を備え、前記シート部は、プロピレンを重合させた熱可塑性樹脂であるポリプロピレンを含むことが好ましい。
【０００８】
また、本発明に係る仮設トイレにおいて、前記小便器部からはみ出した尿を受けるように前記ケーシング本体部の底部側に設けられた受け皿部と、前記小便器部内と前記受け皿部内に水を流し込んで前記小便器部とともに前記受け皿部を洗浄する洗浄連動部と、を備えることが好ましい。
【０００９】
また、本発明に係る記載の仮設トイレにおいて、前記ケーシング本体部内に設けられ、液体消臭剤を収容する収容部と、前記収容部から前記小便器部内に向けて延伸し、毛細管現象を利用して前記液体消臭剤を前記小便器部内に送り出す延伸部と、を備えることが好ましい。
【発明の効果】
【００１０】
本発明によれば、放たれた尿の入口となる開口部が多角形を有し、尿が排出される排出部側に向けて先細りとなる略多角錘形状を有する小便器部を備えている。これにより、尿を底部に溜めずに排出することができ、従来のような丸みを帯びたデザインではなく略多角錘形状を有しているためシャープな印象を与えることができる。
【図面の簡単な説明】
【００１１】
【図１】本発明に係る実施形態の仮設トイレの斜視図である。
【図２】本発明に係る実施形態の仮設トイレの小便器部にシート部を装着する様子を示す図である。
【図３】本発明に係る実施形態の仮設トイレにおいてケーシング本体部の内部の様子を示す図である。
【発明を実施するための形態】
【００１２】
以下に、本発明に係る実施の形態について添付図面を参照しながら詳細に説明する。  以下では、全ての図面において同様の要素には同一の符号を付し、重複する説明を省略する。また、本文中の説明においては、必要に応じそれ以前に述べた符号を用いるものとする。
【００１３】
図１は、仮設トイレ１０の斜視図で、図１（ａ）は仮設トイレ１０の開閉扉部１４が開いた状態を示す図であり、図１（ｂ）は仮設トイレ１０の開閉扉部１４を閉じた状態を示す図である。
【００１４】
図２は、仮設トイレ１０の小便器部１６にシート部を装着する様子を示す図で、図２（ａ）はシート部１７を装着する様子を示す図であり、図２（ｂ）はシート部１７の変形例であるシート部１９を装着する様子を示す図である。図３は、仮設トイレ１０においてケーシング本体部１２の１つの側面を透過させた状態の内部の様子を示す図である。
【００１５】
仮設トイレ１０は、ケーシング本体部１２と、開閉扉部１４と、小便器部１６とを備える。仮設トイレ１０は、建設現場などにおいて工事期間中などに一時的に設置するトイレである。
【００１６】
ケーシング本体部１２は、小便器部１６が装着される筐体である。ケーシング本体部１２は、内部に空洞を有する略四角柱形状から上部が略三角柱形状となるように削り取られたような形を有し、小便器部１６を配置するための空間領域が形成されている。
【００１７】
ケーシング本体部１２の下部には、手前側に向けて突出するような四角錐台形状を有する突出部２０が形成されている。突出部２０には、２つの貫通孔２８が形成されており、外部からケーシング本体部１２の内部を確認できる状態となっている。
【００１８】
ケーシング本体部１２の天井部には、開閉扉部１４を閉じたときに開閉扉部１４とケーシング本体部１２の上部との間に形成される空間領域を塞ぐための蓋部１８が設けられている。蓋部１８は上面視で四角形の外形を有しており、図１に示されるように対角線に設けられた境界部を境界線として折り曲げて開くことができる。蓋部１８の略中央部には、蓋部１８を開くために用いられる取っ手が取り付けられている。
【００１９】
ケーシング本体部１２の底面部には、４つの駒部が取り付けられており、ケーシング本体部１２に設けられた引掛け部３４，３６に手を掛けて、仮設トイレ１０をより少ない力で移動させることができる。
【００２０】
ケーシング本体部１２は、適度な強度を有しつつ軽量性にも優れた材質で構成することが好ましく、例えば、プロピレンを重合させた熱可塑性樹脂であるポリプロピレンを含んで構成されるものとして説明するが、もちろんその他の材料を用いて構成してもよい。
【００２１】
開閉扉部１４は、ケーシング本体部１２に回動可能に設けられ、小便器部１６を覆い隠し又は小便器部１６を露出させるように開閉可能な扉である。開閉扉部１４は、観音開きタイプの一対の扉で構成されている。開閉扉部１４は、ケーシング本体部１２と同様にポリプロピレンを用いて構成されるものとして説明するが、もちろん、その他の材料を用いて構成することもできる。
【００２２】
開閉扉部１４とケーシング本体部１２の間には、開閉扉部１４が勝手に開閉しないようにするための開閉ストッパー部１５が設けられている。開閉ストッパー部１５は、開閉扉部１４に設けられた複数の貫通孔のいずれか１つに係合するフック部を有する架設棒部を備えている。
【００２３】
開閉扉部１４を閉めた後に蓋部１８を閉めると、図１（ｂ）に示されるように、四角柱状にコンパクトに収納することができる。このとき、開閉扉部１４に跨って設けられたベルト部３０，３２を締めることで、開閉扉部１４が勝手に開いてしまうことを防止することができる。
【００２４】
小便器部１６は、放たれた尿の入口となる開口部が多角形を有し、該尿が排出される排出部側に向けて先細りとなる略四角錘形状を有しており、ケーシング本体部１２の上部に装着されている。図１の拡大された平面図に示されるように、小便器部１６は手前側に向けて突出するように取り付けられている。
【００２５】
小便器部１６は、上部が開口しており、下部に向けて先細りとなる朝顔のような形状を有している。小便器部１６の下部には、複数の貫通孔で構成される排出口部２４と、排出口部２４よりも上方には、排出口部２４での排水が追いつかずに尿が溜まった場合のオーバーフロー排水口２６が形成されている。オーバーフロー排水口２６は、排出口部２４の貫通孔よりも大きな孔面積を有している。
【００２６】
貯留タンク部５６は、小便器部１６から排出された尿を貯めておくための容器である。貯留タンク部５６は、図３に示されるように、ケーシング本体部１２の内部に設けられる。貯留タンク部５６は、軽量性にも優れた材質で構成することが好ましく、例えば、ポリエチレンを用いて構成することができる。
【００２７】
シート部１７は、小便器部１６の内側側面に着脱可能に設けられる。シート部１７は、プロピレンを重合させた熱可塑性樹脂であるポリプロピレンを含んで構成されている。シート部１７は、小便器部１６の内側側面に沿うように略多角錐形状に折り曲げ加工されており、底部側には、排出口部２４とオーバーフロー排水口２６に対応する貫通孔が形成されている。
【００２８】
シート部１７は、図２（ａ）に示されるように、小便器部１６の上方から差し込んで装着する。また、シート部１７が装着された後に、小便器部１６の上端部側においてクリップ部２１を挟持することでシート部１７を固定する。
【００２９】
ここでは、シート部１７に対してクリップ部２１を用いて固定するものとして説明したが、もちろん、その他の手段で固定することもできる。例えば、シート部１７の変形例であるシート部１９を用いてもよい。
【００３０】
シート部１９は、図２（ｂ）に示されるように、小便器部１６の上端部において、該上端部を覆うように折り曲げ加工されており、小便器部１６の上端部に設けられた磁石部１９ａと接触するための磁石部２３を有している。
【００３１】
ここでは、磁石部１９ａと磁石部２３を双方ともに磁石であるものとして説明したが、一方を磁石とし他方を磁石に吸着することができる材質、例えば、鉄などを用いることもできる。
【００３２】
受け皿部２２は、小便器部１６からはみ出した尿を受けるようにケーシング本体部１２の底部側に設けられている。受け皿部２２は、トレー形状を有しており、開閉扉部１４を開き仮設トイレ１０を使用状態とする場合には、図１（ａ）に示されるようにケーシング本体部１２の下部よりも突出するように引き出されて使用される。
【００３３】
そして、仮設トイレ１０の使用を終えた後は、受け皿部２２は、ケーシング本体部１２の下部に収納可能なように設けられている。受け皿部２２は、ケーシング本体部１２と同様にポリプロピレンを用いて構成されるものとして説明するが、もちろん、その他の材料を用いて構成することもできる。
【００３４】
ケーシング本体部１２の上部には、蛇口２５が取り付けられており、仮設トイレ１０の外部から水道水を取り込むように水道水ホースが接続可能な状態となっている。また、蛇口２５の排出口には、小便器部１６内と受け皿部２２内に水を流し込んで小便器部１６とともに受け皿部２２を洗浄するように分岐されたホース２７が取り付けられている。
【００３５】
ホース２７は、一方側の端部は蛇口２５の給水の分岐部分に接続され、途中で分岐して第１ホース５２と第２ホース５４とに分かれる。第１ホース５２と第２ホース５４の端部は、それぞれ小便器部１６内と受け皿部２２内に向くように延伸している。
【００３６】
続いて、仮設トイレ１０の作用について説明する。建設工事などの現場において一時的にトイレとして使用するために仮設トイレ１０が準備される。仮設トイレ１０は、ケーシング本体部１２の下部に駒部が設けられているため、仮設場所に移動させやすいという利点がある。
【００３７】
仮設トイレ１０の設置場所を決めて、開閉扉部１４を開き、開閉ストッパー部１５を用いて開閉扉部１４が勝手に開閉しない状態にする。さらに、ケーシング本体部１２の下部に収納された受け皿部２２を引き出す。これにより、小便器部１６と受け皿部２２が露出することにより、仮設トイレ１０がトイレとして使用可能な状態となる。
【００３８】
仮設トイレ１０の利用者は、小便器部１６内に向けて用を足すと、放たれた尿が開口部から入り、下部に流れていき、排出口部２４から尿が排出され、貯留タンク部５６に貯められる。ここで、小便器部１６は、排出口部２４に向けて先細りの略四角錘形状を有しているため、底部が丸みを帯びた便器に比べて尿が底部に溜まりにくく排出を促進することができる利点があり、デザイン的にもシャープな印象を与えることができる。
【００３９】
また、仮設トイレ１０は、小便器部１６の下方に受け皿部２２が設けられているため、仮に、小便器部１６から尿がはみ出てしまった場合であっても、受け皿部２２で受け止めることができる。
【００４０】
また、仮設トイレ１０の利用者は用を足し終えた後、蛇口２５をひねって水を流すと、小便器部１６内だけでなく、受け皿部２２内にも水が流れるため、小便器部１６及び受け皿部２２を清潔に保ちつつ匂いの抑制にもつながるという効果がある。
【００４１】
そして、仮設トイレ１０は、小便器部１６の内側側面にシート部１７が装着されているため、長期間使用することにより、シート部１７が汚れてきた場合には、シート部１７を新しいものに取り換えるだけで、新品の同様の状態にすることができるため、低コストで清潔な状態を保つことができる利点がある。
【００４２】
また、仮設トイレ１０は、トイレとしての使用を終える場合は、開閉ストッパー部１５を外して開閉扉部１４を閉じた後に蓋部１８を閉じることで図２（ｂ）に示されるようにコンパクトな形にすることができる。
【００４３】
仮設トイレ１０は、水道水を蛇口２５に供給できる環境にない場合には、ホース２７の代わりに、図３に点線で描いている液体消臭剤部４２を用いてもよい。液体消臭剤部４２は、小便器部１６内の消臭と殺菌を可能とする液状の消臭剤が収容されたペットボトルである。液状の消臭剤は、次亜塩素酸を含む消臭剤を用いることが好ましいが、後述する毛細管現象を用いるために適した液状のものであればよい。
【００４４】
この液体消臭剤部４２の口部には、アクリルや綿で構成されたロープ４４が設けられる。ロープ４４の一方端を液体消臭剤部４２内の液状の消臭剤に浸し、他方を小便器部１６内に配置させることで、毛細管現象を利用して、所定の間隔で自動的に液体消臭剤部４２の液状の消臭剤を小便器部１６内に供給することができるため、小便器部１６内を清潔に保つことができるというメリットがある。
【符号の説明】
【００４５】
１０  仮設トイレ、１２  ケーシング本体部、１４  開閉扉部、１５  開閉ストッパー部、１６  小便器部、１７，１９  シート部、１８  蓋部、１９ａ  磁石部、２０  突出部、２１  クリップ部、２２  受け皿部、２３  磁石部、２４     排出口部、２５  蛇口、２６  オーバーフロー排水口、２７  ホース、２８  貫通孔、３０，３２  ベルト部、３４，３６  引掛け部、４２  液体消臭剤部、４４  ロープ、５２  第１ホース、５４  第２ホース、５６  貯留タンク部。
【図１】
2018134456.tif 000003
【図２】
2018134456.tif 000004
【図３】
2018134456.tif 000005